(57)【要約】【課題】安価に記録紙用マガジン内の湿度環境を所定の範囲内に維持することを可能とし、記録紙の割れを防止することができる記録紙用マガジンおよびこれを備えたインクジェットプリンタを提供する。【解決手段】写真プリント装置１では、保湿剤３６が、プリント用紙Ｐを収納するための空間であるマガジン３１内部を保湿するために設けられている。また、その保湿剤３６は、自然対流を利用して効率よく保湿するためにマガジン３１の上部に設けられている。【選択図】図３
2007098825.tif 000002
【特許請求の範囲】
【請求項１】
内部に記録紙を収納するための筐体と、
前記筐体内部の空間を保湿するために、前記筐体の上部に配置されている保湿剤と、
を備えている記録紙用マガジン。
【請求項２】
前記筐体の上部に開閉可能なマガジンカバーをさらに備え、
前記保湿剤は、前記マガジンカバーの内側に粘着性材料によって取り付けられている、
請求項１に記載の記録紙用マガジン。
【請求項３】
前記筐体の上部に前記保湿剤を格納するための開閉可能なケーシングをさらに備え、
前記ケーシングは、前記筐体内部に面している部分が多孔形状である、
請求項１に記載の記録紙用マガジン。
【請求項４】
請求項１から３のいずれか１項に記載の記録紙用マガジンと、
前記記録紙を搬送するために複数のローラを有する搬送経路部と、
前記記録紙に画像のプリントを行うプリント部と、
を備えており、
前記記録紙用マガジンは、前記プリント部よりも低い位置に配置されているインクジェットプリンタ。
【発明の詳細な説明】
【技術分野】
【０００１】
本発明は、ロール状の記録紙を収納するための記録紙用マガジンおよびそれを備えたインクジェットプリンタに関する。
【背景技術】
【０００２】
インクジェットプリンタや写真処理装置において記録材料となるインクジェット紙や印画紙等は、周囲の環境条件（温度や湿度）によって特性が変化することが一般的であり、そのプリントや印字の仕上がりは、この特性によって変化する。このため、プリント画像や印字の仕上がりが大幅に変動するという問題があった。
これらを解決する手段として、記録材料を改良し環境に左右されにくい材質を開発して対応することや、記録材料が収納されるマガジン内の環境を一定に保つことなどが考えられる。例えば、特許文献１では、記録紙用マガジン内部に加湿装置とヒータおよびセンサを備えて、温度と湿度とを一定に制御するための方法が開示されている。
【特許文献１】特開平１０−１７１０３１号公報（平成１０年６月２６日公開）
【発明の開示】
【発明が解決しようとする課題】
【０００３】
しかしながら、上記従来の記録紙用マガジンでは、以下に示すような問題点を有している。
すなわち、上記従来の環境条件を一定に保つために構成された記録紙用マガジン（特許文献１）は非常に高性能であり、実際に搭載するにあたっては非常にコストがかかる。
また、インクジェットプリンタにおいては、低湿度環境下におけるインクジェット紙の受容層のひび割れ、いわゆる「割れ」という現象が発生し、印刷の品質を劣化させている。しかし、これらに対しては、特許文献１に示すほど厳密な湿度の管理は必要ではなく、所定の範囲内の湿度条件を保つことで上記の現象を防止することが可能である。
【０００４】
本発明の課題は、安価に記録紙用マガジン内の湿度環境を所定の範囲内に維持することを可能とし、記録紙の割れを防止することができる記録紙用マガジンおよびこれを備えたインクジェットプリンタを提供することにある。
【課題を解決するための手段】
【０００５】
第１の発明に係る記録紙用マガジンは、筐体と、保湿剤とを備えている。筐体は、内部に記録紙を収納する。保湿剤は、筐体内部の空間を保湿するために、筐体の上部に配置されている。
ここでは、保湿剤が、記録紙を収納するための空間である筐体内部を保湿するために設けられており、自然対流を利用して効率よく保湿するために筐体の上部にその保湿剤が配置されている。
【０００６】
なお、保湿剤とは、低湿度環境下においては放湿を行い、高湿度環境においては吸湿を行う調湿機能を有するものをいう。また、本発明における記録紙用マガジンとは、例えば、インクジェットプリンタにおいては、インクジェットプリンタ本体から取り外しが可能なもの、および記録紙をインクジェットプリンタ本体内部に収容するためにインクジェットプリンタ内部において区切られた空間も含む。
【０００７】
ここで、例えば、インクジェット紙は、低湿度環境において、インクジェット紙を構成する受容層と呼ばれるインクの吸収層に含まれる水分を放出し、この状態のインクジェット紙が装置内を搬送されると、受容層がひび割れてしまう、いわゆる「割れ」という現象を引き起こす。そして、この割れが発生したインクジェット紙にプリントされた場合、この部分と割れの発生していない部分とでインクを載せたときの発色が異なり、傷が発生したように見えることがある。
【０００８】
上記に示した受容層の割れを防止するために、加湿装置や各種センサ等を用いて記録紙用マガジン内の環境を一定に保つ従来技術を利用することが考えられる。しかし、このような、湿度を一定に保つ手段を有する記録紙用マガジンは非常に高性能であり、コストがかかる。また、上記に示したような受容層の割れを防ぐためには、湿度を一定に保つほど厳密な管理は必要なく、所定の湿度より低くならない程度に管理できればよい。
【０００９】
そこで、本発明の記録紙用マガジンでは、記録紙が収納される空間である筐体内部を所定の湿度より低くならない程度に保湿する手段として保湿剤を用いている。そして、保湿剤を筐体の上部に配置している。
これにより、加湿装置や各種センサを用いた高性能な機構を搭載することなく、記録紙が収容された筐体内部の湿度を所望の条件に維持することが容易に可能となる。このため、記録紙の受容層に含まれる水分が放出されることがなくなる。そして、保湿剤が筐体の上部に配置されていることにより、自然対流を利用して筐体内部全体の湿度条件を効率よく保つことが可能となる。つまり、保湿剤の放湿効果により湿気を含み比重が大きくなった保湿剤周辺の空気が下方へ移動し、乾燥して比重の小さな空気が上方に移動する対流現象を利用して、効率よく筐体内部を適切な湿度で保持することが可能となる。
この結果、安価に記録紙用マガジン内の湿度環境を所定の範囲内に維持することができ、記録紙の割れを防止することが可能となる。
【００１０】
第２の発明に係る記録紙用マガジンは、第１の発明に係る記録紙用マガジンであって、
筐体の上部に開閉可能なマガジンカバーをさらに備えている。そして、保湿剤は、マガジンカバーの内側に粘着性材料によって取り付けられている。
【００１１】
ここでは、保湿剤は、開閉可能なマガジンカバーの内側に粘着性材料である、例えば、接着剤や接着テープ等によって取り付けられている。
なお、粘着性材料とは、例えば、接着材や接着テープをはじめ、合成ゴムにおいて低硬度の際に得られる粘着性を利用したもの等をいう。
ここで、保湿剤には一般的に有効期間があって、その有効期間を経過すると保湿能力が低下してしまう。このため、上記に示した筐体内部の湿度条件を維持するためには、この期間が経過する前に保湿剤を交換する必要がある。
これにより、マガジンカバーを開閉することで容易に保湿剤を交換することが可能となるので、保湿剤を交換する機会の比較的多い場合であっても、ユーザの作業負担を減らすことができる。
【００１２】
第３の発明に係る記録紙用マガジンは、第１の発明に係る記録紙用マガジンであって、
筐体の上部に保湿剤を格納するための開閉可能なケーシングをさらに備えている。そして、ケーシングは、筐体内部に面している部分が多孔形状である。
ここでは、保湿剤を格納するためのケーシングをさらに備えており、ケーシングは、保湿剤を交換するために開閉可能となっている。そして、筐体内部に面している部分は、筐体内部とケーシングとの間で自由に空気の移動ができるように多孔形状で形成されている。
【００１３】
これにより、保湿剤を交換するためにマガジンカバーを外すことなく、開閉可能なケーシングを利用して容易に交換を行うことができる。また、比較的面積の大きなマガジンカバーを開放して保湿剤を交換する場合、筐体内部に保たれていた湿度環境が外気と同じになってしまう。ところが、マガジンカバーに比べて面積の小さなケーシングを開けて交換する場合、交換作業のために開放する時間において湿度環境が外気と同じになるようなことはない。
この結果、保湿剤の交換に伴うユーザの作業負担を減らすことができるとともに、交換の際にも筐体内部の湿度環境を保つことができるので保湿剤の消費を抑えることが可能となる。
【００１４】
第４の発明に係るインクジェットプリンタは、記録紙用マガジンと、搬送経路部と、プリント部とを備えている。記録紙用マガジンは、第１から第３の発明のいずれか１つに係る記録紙用マガジンである。搬送経路部は、記録紙を搬送するために複数のローラを有する。プリント部は、記録紙に画像のプリントを行う。そして、記録紙用マガジンは、プリント部よりも低い位置に配置されている。
なお、本発明における記録紙用マガジンとは、インクジェットプリンタ本体から取り外しが可能なもの、および記録紙をインクジェットプリンタ本体内部に収容するためにインクジェットプリンタ内部において区切られた空間も含む。
【００１５】
ここでは、第１の発明から第３の発明のいずれか１つに係る記録紙マガジンを有しているインクジェットプリンタにおいて、記録紙用マガジンが、記録紙に画像を形成するプリント部より鉛直方向に対して低い位置に配置されている
なお、ここでいう「高い」「低い」は、インクジェットプリンタを設置した状態に対して鉛直方向における位置を指す。
【００１６】
ここで、インクジェットプリンタにおけるプリント部は、インクの定着を安定化させるために、記録紙のプリント面が鉛直方向に対してほぼ上を向いた状態でプリントされる。このため、プリント部よりも低い位置に記録紙用マガジンが配置されているインクジェットプリンタの搬送経路部において、記録紙用マガジンから上方に向かって引き出された記録紙をローラに巻きかけて略水平方向に搬送方向を変える必要がある。このとき、搬送される記録紙は、プリント面とは反対側の面（以下、ベース面と示す）がローラに巻きかけられ、記録紙のベース面には圧縮応力、プリント面には引張応力が発生する。そして、この引張応力は、先に述べた低湿度環境で発生する割れを促進させることになる。
【００１７】
そこで、本発明のインクジェットプリンタでは、第１の発明から第３の発明のいずれか１つに係る記録紙用マガジンを有している。
これにより、保湿状態に保たれた記録紙が搬送されることになり、搬送経路においてローラに巻きかけられてプリント面に引張応力が発生しても、いわゆる割れを抑制することができる。このため、割れの部分で発色が異なってキズのように見えるプリント画像の不具合の発生を抑えることが可能となる。
【００１８】
この結果、低湿度環境下においても、割れ等によるプリント画像の不具合の発生を抑えることができ、高品質なプリントを提供することが可能となる。
【発明の効果】
【００１９】
第１の発明に係る記録紙用マガジンによれば、安価に記録紙用マガジン内の湿度環境を所定の範囲内に維持することができ、記録紙の割れを防止することが可能となる。
第２の発明に係る記録紙用マガジンによれば、マガジンカバーを開閉することで容易に保湿剤を交換することが可能となるので、保湿剤を交換する機会の比較的多い場合であっても、ユーザの作業負担を減らすことができる。
【００２０】
第３の発明に係る記録紙用マガジンによれば、保湿剤の交換に伴うユーザの作業負担を減らすことができるとともに、交換の際にも筐体内部の湿度環境を保つことができるので保湿剤の消費を抑えることが可能となる。
第４の発明に係るインクジェットプリンタによれば、低湿度環境下においても、割れ等によるプリント画像の不具合の発生を抑えることができ、高品質なプリントを提供することが可能となる。
【発明を実施するための最良の形態】
【００２１】
［第１の実施形態］
本発明の一実施形態に係るマガジンセット部３０（記録紙用マガジン）を備えた写真プリント装置１について、図１〜図４を用いて説明すれば以下の通りである。
［写真プリント装置１全体の構成］
本発明の一実施形態に係る写真プリント装置１は、図１に示すように、入力された画像を顔料インクによってプリントする写真プリント装置であって、受付ブロック１０とインクジェットプリンタ２０とを備えている。
【００２２】
［受付ブロック１０の構成］
受付ブロック１０は、画像データ及びオーダ情報を取得し、必要な補正処理等を行う装置である。そして、受付ブロック１０は、図１に示すように、受付装置１１と、ディスプレイ１５と、フラットベッドスキャナ１６とを備えている。
受付装置１１は、ワゴン型のフレーム１２の上部に配置されていて、フラッシュメモリから成る記録媒体Ｍｓに保存された画像データを読み出すための半導体ドライブ１３と、ＣＤ−ＲやＤＶＤ等のディスク型の記録媒体Ｍｄに保存された画像データを読み出すためのディスクドライブ１４とが配設されている。
【００２３】
ディスプレイ１５は、表示画面がタッチパネルによって構成されていて、液晶型のものである。
フラットベッドスキャナ１６は、フレーム１２の上下方向の中間位置に設けられており、スキャニング対象物の画像をＲ（赤）・Ｇ（緑）・Ｂ（青）の三原色に色分解した画像データとして取り込む。
【００２４】
［インクジェットプリンタ２０の構成］
インクジェットプリンタ２０は、受付ブロック１０から通信ケーブル５を介して伝送される画像データをオーダ情報に基づきプリント用紙（記録紙）Ｐに対してプリントを行なう。そして、インクジェットプリンタ２０は、図１と図２に示すように、２つのマガジンセット部３０と、プリント部５０と、排出部８０と、インク貯留部９０とを備えている。
【００２５】
マガジンセット部３０は、図１と図２に示すように、ロール状のプリント用紙Ｐを収納する部分であってプリンタ本体２１の下部に２つ配置されている。そして、マガジンセット部３０は、マガジン（筐体）３１と、搬送機構としての支持ローラ３２と、ガイドローラ３３と、圧接搬送ローラ対３４等を有している。搬送機構以外の構成については、後段で詳述する。
【００２６】
マガジン３１は、内部にロール状のプリント用紙Ｐを収容保持するように構成されている。そして、プリント用紙Ｐは、プリント面が外側となるように巻かれている。
支持ローラ３２は、マガジン３１に収容されたプリント用紙Ｐに回転力を付与する。
ガイドローラ３３は、プリント用紙Ｐの搬送経路のガイドをする。
圧接搬送ローラ対３４は、対向する２つのローラ３４ａ・３４ｂとの間においてプリント用紙Ｐを圧接して搬送方向向きに搬送し、プリント部５０へ送り出す。
【００２７】
プリント部５０は、図２に示すように、プリンタ本体２１内の上部中央部に配置されていて、プリント用紙Ｐに対して画像データのプリントを行い、所望の大きさにカットする部分である。そして、プリント部５０は、プリントヘッド５１と、ガイドレール５２と、駆動ベルト５３と、用紙保持部５５と、圧接搬送ローラ対（搬送経路部）５９と、圧接搬送ローラ対６０と、ループ形成ユニット６１と、カッターユニット６４と、反転ユニット６９とを有している。
【００２８】
プリントヘッド５１は、プリント用紙Ｐに対してインクを吐出して画像を形成する。
ガイドレール５２は、プリントヘッド５１を幅方向に垂直な方向に案内する。
駆動ベルト５３は、プーリ５４に巻かれかつプリントヘッド５１をガイドレール５２に沿って往復移動させるために設けられている。
用紙保持部５５は、プリント用紙Ｐをプリントヘッド５１がプリントを行うことが可能な位置に吸着保持する。また用紙保持部５５は、厚み方向に複数の孔が形成され幅方向に対して対称に形成されたプリント台５６と、保持体５７内に設けられかつプリント用紙Ｐに対してプリント台５６の孔を介して負圧を与えるためのファン５８とから構成されている。
【００２９】
圧接搬送ローラ対５９・６０は、この用紙保持部５５の搬送方向に対して上流側及び下流側のそれぞれに幅方向に並設配置されている。圧接搬送ローラ対５９は、ローラ５９ａ、ローラ５９ｂおよびローラ５９ｃによって構成されている。
ループ形成ユニット６１は、圧接搬送ローラ対６０の下流側に配置されたガイド板６２と、このガイド板６２によって案内されたプリント用紙Ｐを搬送するための圧接搬送ローラ対６３から構成されている。そして、ガイド板６２を、図２で示す２点鎖線で示した水平姿勢から実線で示した開放姿勢に切り換えることで、プリント用紙Ｐを垂れ下がった状態にしてループを形成することを可能としている。
【００３０】
カッターユニット６４は、固定刃６５と、可動刃６６と、反射型のセンサを有するカット位置センサ６７と、プリント用紙Ｐを送り出すための圧接搬送ローラ対６８とから構成されている。
反転ユニット６９は、プリント用紙Ｐを搬送する駆動ローラ７０と、この駆動ローラ７０と共にプリント用紙Ｐを圧接する従動ローラ７１と、これら駆動ローラ７０及び従動ローラ７１からなる作動ローラ対７２の向きを変更する切換機構（図示せず）と、プリント用紙Ｐのプリント面側に設けられた回転自在のガイドローラ７３とから構成されている。作動ローラ対７２は、送り込まれたプリント用紙Ｐを挟んだ状態で、切換機構によって図２に示す破線の位置に移動する。そして、作動ローラ対７２を反対に回転させることでプリント用紙Ｐの搬送方向の向きを変える。
【００３１】
排出部８０は、図１と図２に示すように、プリント部５０において画像が形成かつカットされたプリント用紙Ｐを排紙トレイ８２まで搬送する搬送経路および排出されたプリント用紙Ｐを受け止める部分である。そして、排出部８０は、複数の圧接搬送ローラ対８１と、排紙トレイ８２とを有している。
圧接搬送ローラ対８１は、対向する２つのローラ８１ａ・８１ｂとの間においてプリント用紙Ｐを圧接して搬送方向向きに搬送し、排紙トレイ８２へ送り出す。
【００３２】
排紙トレイ８２は、プリント用紙Ｐをインクジェットプリンタ２０の外部へ排出するための排出口８３の近傍に配置されており、排出口８３から排出されたプリント用紙Ｐを受け止める。
インク貯留部９０は、図１に示すように、壁体９１内に挿抜可能に収容されかつ色相が互いに異なる７つのインクカートリッジ（図示せず）を備えている。これらのインクカートリッジは、挿抜することにより新しいインクカートリッジに交換することができる。これらのインクカートリッジには、それぞれ、イエロー（Ｙ）、マゼンタ（Ｍ）、シアン（Ｃ）、ブラック（Ｋ）、レッド（Ｒ）、バイオレット（Ｖ）及び透明（ＣＬ）のインクが封入されている。なお、壁体９１は、鉛直方向に延びる軸心周りに開閉自在に構成されている。
【００３３】
（マガジンセット部３０）
マガジンセット部３０は、低湿度環境下においてプリント用紙Ｐが割れの防止を抑制するために、搬送手段以外の部材３２・３３・３４として、図３に示すように、マガジン３１と、マガジンカバー３５と、保湿剤３６と、接着テープ（粘着性材料）３７と、シャッタ３８と、引出口３９とを有している。
【００３４】
マガジンセット部３０に収納されるプリント用紙Ｐは、プリント面が外側となるように巻かれており、例えば、本実施形態においては、使用条件が温度：１５度〜３０度、湿度：３０％〜７５％のプリント用紙Ｐを使用する。そして、このプリント用紙Ｐは、プリント面側から順番に、表面を形成する光沢層と、シリカ・アルミナから形成されインクを吸収する受容層と、基材となるベース部とから構成されている。プリント用紙Ｐは、保湿条件を満たさない環境において使用した場合、受容層に含まれる水分を放出してプリント面がひび割れてしまう、いわゆる「割れ」という現象を引き起こすおそれがある。
【００３５】
マガジンカバー３５は、マガジン３１の上部に配置されており、プリント用紙Ｐまたは保湿剤３６を交換するために、マガジン３１に対して開閉可能な構造となっている。
保湿剤３６は、プリント用紙Ｐが使用条件に適合しない湿度の条件の下で使用する場合において、プリント用紙Ｐに不具合が発生しない程度にマガジン内を保湿する効果を持つ。例えば、本実施形態において使用するプリント用紙Ｐが上記に示したものである場合、湿度を３０％以上に保つことが可能である。また、保湿剤３６には、先に示した保湿条件を保つための有効期間がおおよその目安で決まっているので、適時、保湿剤３６を交換する必要がある。そして、保湿剤３６がマガジン３１の上部に配置されていることにより、保湿剤３６の効果により湿気を含み比重が大きくなった保湿剤３６周辺の空気が下方へ移動し、乾燥して比重の小さな空気が上方に移動する対流現象を利用して、効率よくマガジン３１内を適切な湿度で保持することができる。
【００３６】
接着テープ３７は、保湿剤３６をマガジンカバー３５に取り付けるためのものであり、これによりユーザは容易に保湿剤３６を貼り付けることができる。さらに、例えば、合成ゴムの低硬度の際に得られる粘着性を利用すれば、複数回の交換に対して繰り返し利用できるので、保湿剤３６のみを取り外しする感覚で交換でき、さらに効果的である。
シャッタ３８は、引出口３９の前面を光密に覆う閉鎖状態と、プリント用紙Ｐの引き出しを可能となるように引出口３９を露出させる開放状態とを切り換えることが可能である。そして、閉鎖状態のときは、引出口３９とシャッタ３８の間に配置された図示しないパッキンにより、外光や湿気がマガジン３１内に侵入することを防止する。
【００３７】
［写真プリント装置１の特徴］
（１）
本実施形態の写真プリント装置１では、保湿剤３６が、プリント用紙Ｐを収納するための空間であるマガジン３１内部を保湿するために設けられている。また、その保湿剤３６は、自然対流を利用して効率よく保湿するためにマガジン３１の上部に設けられている。
【００３８】
ここで、例えば、本実施形態の写真プリント装置１で用いるプリント用紙Ｐの場合、湿度が３０％を下回る低湿度環境下において、いわゆる「割れ」という現象を引き起こすおそれがある。仮に、この割れが発生したプリント用紙Ｐにプリントを行うと、この部分にキズのように見える不具合を発生するおそれがあった。
これにより、加湿装置や各種センサを用いた高性能な機構を搭載することなく、プリント用紙Ｐが収容されたマガジン３１内部の湿度を３０％以上にすることが容易に可能となる。そして、保湿剤３６がマガジン３１の上部に配置されていることにより、自然対流を利用してマガジン３１の内部全体の湿度条件を効率よく保つことが可能となる。
【００３９】
さらに、湿度をある条件に保つための手段として加湿装置や各種センサ等を搭載する必要がないので、マガジンセット部３０の軽量化を図ることが可能となる。
この結果、安価にマガジン３１内の湿度環境を３０％以上に維持することが可能となり、プリント用紙Ｐの割れを防止することができる。また、マガジンセット部３０の軽量化により記録紙を交換する際のユーザの作業負担が軽くなる。
【００４０】
（２）
本実施形態の写真プリント装置１において、保湿剤３６が、マガジンカバー３５の内側に粘着性材料である接着テープ３７によって取り付けられている。
ここで、例えば、本実施形態の写真プリント装置１で用いる保湿剤３６は、時間とともに保湿能力が落ちていくことにより、マガジン３１の内部を湿度３０％以上に保つための有効期間がある。そして、その有効期間は、１０日から１４日である。なお、有効期間を過ぎても急激に湿度が低下するわけではなく、徐々に湿度が低下していく。このため、上記に示したマガジン３１内の湿度条件を維持するためには、この期間内に保湿剤３６を交換することが望ましい。
【００４１】
これにより、容易に保湿剤３６を取り付けることが可能となるので、１０〜１４日という比較的短い期間で交換する作業に対してユーザの作業負担を減らすことが可能となる。さらに、複数回の交換に対して繰り返し利用できる接着テープ３７であれば、保湿剤３６のみを取り外しする感覚で交換できるので、さらに効果的である。
（３）
本実施形態の写真プリント装置１において、マガジンセット部３０が、プリント用紙Ｐに画像のプリントを形成するプリント部５０よりも鉛直方向に対して低い位置に配置されている。
【００４２】
ここで、本実施形態の写真プリント装置１におけるプリント部５０は、インクの定着を安定化させるために、図２に示すように、プリント用紙Ｐのプリント面がほぼ上を向いた状態でプリントされる。このため、プリント部５０よりも低い位置にマガジンセット部３０が配置されている本実施形態の写真プリント装置１において、マガジンセット部３０から上方に向かって引き出されたプリント用紙Ｐをローラに巻きかけて搬送方向を変える圧接搬送ローラ対５９が必要となる。このとき、図４に示すように、搬送されるプリント用紙Ｐは、ベース面がローラ５９ａに巻きかけられ、プリント用紙Ｐのベース面には圧縮応力、プリント面には引張応力が発生する。そして、この引張応力は、先に述べた低湿度環境下において発生する割れを促進させることになる。
【００４３】
しかし、本発明により保湿状態に保たれたプリント用紙Ｐが搬送されるので、搬送経路においてローラ５９ａに巻きかけられてプリント面に引張応力が発生しても、割れは発生しない。このため、割れの部分で発色が異なってキズのように見えるプリント画像の不具合の発生を抑えることが可能となる。
この結果、３０％以下という低湿度環境下においても、割れによるプリント画像の不具合の発生を抑えることができ、高品質なプリントを提供することが可能となる。
【００４４】
［第２の実施形態］
本発明の一実施形態に係るマガジンセット部１３０（記録紙用マガジン）を備えた写真プリント装置１０１について、図５を用いて説明すれば以下の通りである。ここでは、前述第１の実施形態と異なるマガジンセット部１３０についてのみ説明し、説明しない構成については第１の実施形態に準じる。
【００４５】
（マガジンセット部１３０）
マガジンセット部１３０は、低湿度環境下においてプリント用紙Ｐが割れの防止を抑制するために、搬送手段以外の部材１３２・１３３・１３４として、図５に示すように、マガジン（筐体）１３１と、マガジンカバー１３５と、ケーシング１３７と、保湿剤１４１と、シャッタ１４２と、引出口１４３とを有している。
【００４６】
なお、マガジンセット部１３０は、搬送手段以外の部材として、支持ローラ１３２、ガイドローラ１３３、ローラ対１３４を有している。
本実施形態においても、第１の実施形態と同様に、使用条件が温度：１５度〜３０度、湿度：３０％〜７５％、光沢層、受容層、ベース部から構成されるプリント用紙Ｐを使用している。従って、保湿条件を満たさない環境においてプリント用紙Ｐを使用した場合には、割れという現象を引き起こすおそれがある。
【００４７】
マガジンカバー１３５は、マガジン１３１の上部に配置されており、プリント用紙Ｐを交換するために、マガジン１３１に対して開閉可能な構造となっている。
ケーシング１３７は、マガジン内を保湿するための保湿剤１４１を格納するための小さな空間であって、マガジン１３１の内部に面した多孔形状面１３８と、マガジン１３１の外部に面した開閉可能な開閉部１３９とから構成されている。
【００４８】
多孔形状面１３８は、ケーシング１３７の内部に格納された保湿剤１４１によって保湿された空気をマガジン１３１内部に通気するための構造である。
開閉部１３９は、保湿剤１４１を交換するためのものであり、保湿剤１４１が取り出せる程度の大きさを有している。保湿剤１４１には、先に示した保湿条件を保つための有効期間がおおよその目安で決まっているので、適時、保湿剤１４１をこの開閉部１３９を開閉して交換する。開閉部１３９とケーシング１３７の接触部にはパッキン１４０が設けられており、外光や湿気がケーシング１３７内に侵入することを防止する。
【００４９】
保湿剤１４１は、第１の実施形態と同様に、プリント用紙Ｐが使用条件に適合しない湿度の条件の下で使用する場合において、プリント用紙Ｐに割れが発生しない程度にマガジン内を保湿する効果を持ち、おおよそ３０％以上に保つことが可能である。そして、保湿剤１４１が、マガジン１３１内の上部に配置されているケーシング１３７に配置されていることにより、保湿剤１４１の効果により湿気を含み比重が大きくなった保湿剤１４１周辺の空気が、多孔形状面１３８を通過して下方へ移動し、乾燥して比重の小さな空気が上方に移動する対流現象を利用して、効率よくマガジン１３１内を適切な湿度で保持することができる。
【００５０】
シャッタ１４２は、引出口１４３の前面を光密に覆う閉鎖状態と、記録紙Ｐの引き出しを可能となるように引出口１４３が露出するようになる開放状態とを切り換えることが可能である。そして、閉鎖状態のときは、引出口１４３とシャッタ１４２の間に配置された図示しないパッキンにより、外光や湿気がマガジン１３１内に侵入することを防止する。
［写真プリント装置１０１の特徴］
（１）
本実施形態の写真プリント装置１０１において、保湿剤１４１を格納するためのケーシング１３７が設けられている。そして、ケーシング１３７は、マガジンの外側に面している部分に保湿剤１４１を交換するために開閉可能な開閉部１３９と、マガジン１３１の内部に面している部分は、マガジン１３１の内部とケーシング１３７との間で自由に空気の移動ができるように多孔形状面１３８とを有している。
【００５１】
これにより、ユーザは、保湿剤１４１を交換するためにマガジンカバー１３５を外すことなく、ケーシング１３７に設けられた比較的面積の小さな開閉部１３９を利用して容易に交換を行うことができる。また、マガジンカバー１３５を外して保湿剤１４１を交換する場合、マガジンカバーの面積が一般的に大きいので、交換作業による開放によってマガジン１３１内部に保たれていた湿度環境が外気と同じになってしまう。ところが、マガジンカバー１３５に比べて小さな開閉部１３９を開けて交換する場合、交換作業による開放によってマガジン１３１内部の湿度環境が外気と同じになるようなことはない。さらに、第１の実施形態で述べた接着テープ３７等を使う必要もないので交換も容易である。
【００５２】
この結果、保湿剤１４１の交換に伴うユーザの作業負担を減らすことができ、交換作業の際にもマガジン１３１内部の湿度環境を保つことができるので保湿剤１４１の消費を抑えることが可能となる。
［他の実施形態］
以上、本発明の第１および第２の実施形態について説明したが、本発明は上記実施形態に限定されるものではなく、発明の要旨を逸脱しない範囲で種々の変更が可能である。
【００５３】
（Ａ）
上記第１および第２の実施形態に係る写真プリント装置１・１０１では、マガジン３１・１３１の上部に配置されている保湿剤３６・１４１として、接着テープ３７によって保湿剤３６をマガジンカバー３５に貼り付ける例と、格納専用のケーシング１３７を配置し、その中に保湿剤１４１を格納する例を挙げて説明した。しかし、本発明はこれに限定されるものではない。
【００５４】
例えば、マガジン３１の上部に対して着脱可能な多孔形状を有する専用の容器を配置し、その中に保湿剤を格納する等、保湿剤３６・１４１を、マガジン３１・１３１の上部に配置できるような構成であればよい。この場合も、上記第１および第２の実施形態に係る写真プリント装置１・１０１と同様の効果を得ることができる。
（Ｂ）
上記第１の実施形態に係る写真プリント装置１では、粘着性材料の例をとして、接着テープ３７によって保湿剤３６をマガジンカバー３５に貼り付ける例を挙げて説明した。しかし、本発明はこれに限定されるものではない。
【００５５】
保湿剤４１をマガジンカバー３５に貼り付ける手段として、例えば、接着剤や、低硬度の合成ゴムを利用してもよい。この場合も、上記第１の実施形態に係る写真プリント装置１と同様の効果を得ることができる。
（Ｃ）
上記第１の実施形態に係る写真プリント装置１では、開閉可能なマガジンカバーを利用して保湿剤３６を交換する例を挙げて説明した。しかし、本発明はこれに限定されるものではない。
【００５６】
例えば、保湿剤３６を交換するための開閉可能な扉を保湿剤３６の配置位置付近に設置して、この扉を利用して保湿剤３６を交換してもよい。この場合も、上記第１の実施形態に係る写真プリント装置１と同様の効果を得ることができる。
（Ｄ）
上記第２の実施形態に係る写真プリント装置１０１では、ケーシング１３７が、マガジンカバー１３５の一部に配置された例を挙げて説明した。しかし、本発明はこれに限定されるものではない。
【００５７】
ケーシング１３７は、プリント用紙Ｐを格納するマガジン１３１の内部の上方に位置すればよい。この場合も、上記第２の実施形態に係る写真プリント装置１０１と同様の効果を得ることができる。
（Ｅ）
上記第１および第２の実施形態に係る写真プリント装置１・１０１では、本発明に係るマガジンセット部３０・１３０を、写真プリント装置１・１０１におけるインクジェットプリンタ２０・１２０に搭載した例を挙げて説明した。しかし、本発明はこれに限定されるものではない。
【００５８】
例えば、本発明の記録紙用マガジン３０・１３０を感熱紙用プリンタや写真処理装置など記録媒体を格納する装置として搭載してもよい。この場合も、記録紙用マガジン３０・１３０の内部に格納される感熱紙や印画紙に対して湿度条件を一定に保持することが可能となるので、低湿度環境下に対して不都合が発生する感熱紙や印画紙の特性がある場合、上記第１および第２の実施形態に係る写真プリント装置１・１０１と同様の効果を得ることができる。
【００５９】
（Ｆ）
上記第１および第２の実施形態に係る写真プリント装置１・１０１では、使用条件の湿度環境が３０％〜７０％であるプリント用紙Ｐを使用する例を挙げて説明した。しかし、本発明はこれに限定されるものではない。
例えば、４０％〜７０％のプリント用紙Ｐを適用する場合においても、使用する保湿剤３６・１４１の種類を換えることによって、プリント用紙Ｐを格納するマガジン内部を所定の条件に維持することが可能となる。この場合も、上記第１および第２の実施形態に係る写真プリント装置１・１０１と同様の効果を得ることができる。
【００６０】
（Ｇ）
上記第１および第２の実施形態に係る写真プリント装置１・１０１では、プリント用紙がマガジン内に格納されている例を挙げて説明した。しかし、本発明はこれに限定されるものではない。
例えば、プリント用紙Ｐをインクジェットプリンタ２０・１２０本体内部に収容するためにインクジェットプリンタ２０・１２０内部において区切られた空間を設け、この空間に対して上記の発明を適用してもよい。この場合も、上記第１および第２の実施形態に係る写真プリント装置１・１０１と同様の効果を得ることができる。
【産業上の利用可能性】
【００６１】
本発明によれば、マガジン内部を容易に保湿状態に保つことが可能となるので、マガジンに収納される記録紙が、例えば、感熱紙や印画紙等である感熱紙プリンタや写真処理装置への適用が特に有用である。
【図面の簡単な説明】
【００６２】
【図１】本発明の一実施形態に係る記録紙用マガジンを含む写真プリント装置の外観図。
【図２】図１のインクジェットプリンタの内部構成図。
【図３】図２のインクジェットプリンタに含まれるマガジンの断面図。
【図４】図２に含まれる圧接搬送ローラ対５９付近を拡大した断面図。
【図５】本発明の他の実施形態に係るインクジェットプリンタに含まれるマガジンの断面図。
【符号の説明】
【００６３】
１・１０１    写真プリント装置
５        通信ケーブル
１０      受付ブロック
１１      受付装置
１２      フレーム
１３      半導体ドライブ
１４      ディスクドライブ
１５      ディスプレイ
１６      フラットベッドスキャナ
２０・１２０    インクジェットプリンタ
２１      プリンタ本体
３０・１３０    マガジンセット部（記録紙用マガジン）
３１・１３１    マガジン（筐体）
３２・１３２    支持ローラ
３３・１３３    ガイドローラ
３４・１３４    ローラ対
３５・１３５    マガジンカバー
３６・１４１    保湿剤
３７      接着テープ（粘着性材料）
３８・１４２    シャッタ
３９・１４３    引出口
５０      プリント部
５１      プリントヘッド
５２      ガイドレール
５３      駆動ベルト
５４      プーリ
５５      用紙保持部
５６      プリント台
５７      保持体
５８      ファン
５９      圧接搬送ローラ対（搬送経路部）
５９ａ    ローラ（搬送経路部）
５９ｂ    ローラ（搬送経路部）
５９ｃ    ローラ（搬送経路部）
６０      圧接搬送ローラ対
６１      ループ形成ユニット
６２      ガイド板
６３      圧接搬送ローラ対
６４      カッターユニット
６５      固定刃
６６      可動刃
６７      カット位置センサ
６８      圧接搬送ローラ対
６９      反転ユニット
７０      駆動ローラ
７１      従動ローラ
７２      作動ローラ対
７３      ガイドローラ
８０      排出部
８１      圧接搬送ローラ対
８１ａ    ローラ
８１ｂ    ローラ
８２      排紙トレイ
８３      排出口
９０      インク貯留部
９１      壁体
１３７    ケーシング
１３８    多孔形状面
１３９    開閉部
１４０    パッキン
Ｐ        プリント用紙（記録紙）
Ｍｓ      記録媒体
Ｍｄ      記録媒体
【図１】
2007098825.tif 000003
【図２】
2007098825.tif 000004
【図３】
2007098825.tif 000005
【図４】
2007098825.tif 000006
【図５】
2007098825.tif 000007